(57)【要約】【課題】本発明の目的は、持ち運び容易で、かつ要介護者を容易に抱っこできる抱っこ具を提供することである。【解決手段】介護用抱っこ具（１０）は、一枚の四角形の布帛の４辺のうち、向かい合う２辺から蛇腹状に中央部分まで折り畳んで構成される本体部（１１）と、前記向かい合う２辺とは別の２辺において、前記蛇腹状に畳みこまれた布帛の両端部分が解けないように閉じる閉じ部（１３ａ、１３ｂ）と、バックルを有するバンド部（１５ａ、１５ｂ）と、を備えている。【選択図】図１
2019072286.tif 000002
【特許請求の範囲】
【請求項１】
一枚の四角形の布帛の４辺のうち、向かい合う２辺から蛇腹状に中央部分まで折り畳んで構成される本体部と、
前記向かい合う２辺とは別の２辺において、前記蛇腹状に畳みこまれた布帛の両端部分が解けないように閉じる閉じ部と、
バックルを有するバンド部と、
を備えた介護用抱っこ具。
【請求項２】
前記閉じ部は、前記本体部の布帛よりも引張り強度の高い布帛を有する、請求項１に記載の介護用抱っこ具。
【請求項３】
前記バンド部は、前記本体部の布帛よりも引張り強度の高い布帛を有する、請求項１または請求項２に記載の介護用抱っこ具。
【発明の詳細な説明】
【技術分野】
【０００１】
本発明は、抱っこ具に関する。
【背景技術】
【０００２】
従来、様々な抱っこ具や搬送具が開発されている（例えば、特許文献１〜３）。
【先行技術文献】
【特許文献】
【０００３】
【特許文献１】特開２００６−３４０９６１号公報
【特許文献２】特開２０１５−５７１７０号公報
【特許文献３】特開２０１７−１３６１８５号公報
【発明の概要】
【発明が解決しようとする課題】
【０００４】
しかし、特許文献１に示すスリングは、スリング本体１を装着して被介護者Ｑを抱きかかえることを容易に行えないといった問題がある。また、連結リング３Ａ、３Ｂにスリング本体１を通すことで保持する構成であるため、強度や信頼性においても問題がある。特許文献２に示す子守帯は、先ず、利用者Ｕが乳幼児Ｃを抱きかかえ、その後に子守帯１によって乳幼児Ｃを収容する構成であるため、幼児Ｃを抱きかかえる動作を補助することができないという問題がある。特許文献３に示す寝具は、要救助者Ｐの全体を被う構造であるため、容易に持ち運びができないという問題がある。
【０００５】
本発明の目的は、持ち運び容易で、かつ要介護者を容易に抱っこできる抱っこ具を提供することである。
【課題を解決するための手段】
【０００６】
上記目的は、一枚の四角形の布帛の４辺のうち、向かい合う２辺から蛇腹状に中央部分まで折り畳んで構成される本体部（１１）と、前記向かい合う２辺とは別の２辺において、前記蛇腹状に畳みこまれた布帛の両端部分が解けないように閉じる閉じ部（１３ａ、１３ｂ）と、バックルを有するバンド部（１５ａ、１５ｂ）と、を備えた介護用抱っこ具（１０、２０）によって達成される。
【０００７】
また、上記目的は、閉じ部（１３ａ、１３ｂ）は、本体部（１１）の布帛よりも引張り強度の高い布帛を有する、上記に記載の介護用抱っこ具（１０）によっても達成される。
【０００８】
また、上記目的は、バンド部（１５ａ、１５ｂ）は、本体部（１１）の布帛よりも引張り強度の高い布帛を有する、上記に記載の介護用抱っこ具（１０）によっても達成される。
【発明の効果】
【０００９】
本発明によれば、持ち運び容易で、かつ要介護者を容易に抱っこできる抱っこ具を提供することができる。
【図面の簡単な説明】
【００１０】
【図１】本発明の第一の実施形態による介護用抱っこ具１０の表面図である。
【図２】本発明の第一の実施形態による介護用抱っこ具１０の裏面図である。
【図３】本発明の第一の実施形態による介護用抱っこ具１０の断面図である。
【図４】発明の第一の実施形態による介護用抱っこ具１０の本体部１１の展開図である。
【図５】発明の第一の実施形態による介護用抱っこ具１０をコンパクトに折り畳んだ状態を示す図である。
【図６】発明の第一の実施形態による介護用抱っこ具１０の使用方法を説明する図である。
【図７】本発明の第二の実施形態による介護用抱っこ具２０の表面図である。
【発明を実施するための形態】
【００１１】
図１〜図６を用いて、本発明の第一の実施形態による介護用抱っこ具１０を説明する。なお、以下の全ての図面においては、理解を容易にするため、各構成要素の寸法や比率などは適宜異ならせて図示している。
【００１２】
図１は、介護用抱っこ具１０の表面図であり、図２は、介護用抱っこ具１０の裏面図である。
【００１３】
図１及び図２に示すように、介護用抱っこ具１０は、布帛で形成される本体部１１と、布帛で形成される閉じ部１３ａ、１３ｂと、布帛と樹脂製バックルで形成されるバンド部１５ａ、１５ｂを備えている。本体部１１には、例えば、棉、麻、絹、羊毛等の天然繊維、合成繊維、半合成繊維、再生繊維、精製繊維、タンパク質系半合成繊維、または、これらのうちのいずれかを混紡した物を用いてもよい。特に、本体部１１は、要介護者（乳幼児も含む）に直接触れる部分であり、かつ要介護者の体重を支えることができる充分な強度（弾力性がないもの）が必要であり、肌触りのよい綿を用いた織物が好ましい。なお、本体部１１は、防水加工や撥水加工が施されてもよい。
【００１４】
図３（ａ）は、図１に示した介護用抱っこ具１０のＡ−Ａ断面図であり、図４は、本体部１１の展開図である。図３（ａ）、及び図４に示すように、本体部１１は、四角形の布帛の左端と右端のそれぞれから中央に向けて蛇腹状に折り畳むことで形成される。図４に示す一点鎖線は、谷折りの折り目１１ａを示し、二点鎖線は、山折りの折り目１１ｂを示している。図４に示すように四角形の布帛を折り畳むことで、本体部１１が形成される。なお、本体部１１は、谷折りの折り目１１ａが６以上、山折りの折り目１１ｂが４以上となるように構成されてもよいし、谷折りの折り目１１ａが２つで構成されてもよい。なお、図３は、断面状態の理解を容易にするために、厚さを拡張して図示している。
【００１５】
本体部１１の上端と下端に、閉じ部１３ａ、１３ｂが縫着される。閉じ部１３ａ、１３ｂには、例えば、棉、麻、絹、羊毛等の天然繊維、合成繊維、半合成繊維、再生繊維、精製繊維、タンパク質系半合成繊維、または、これらのうちのいずれかを混紡した物が用いられてもよい。また、閉じ部１３ａ、１３ｂは、要介護者（乳幼児も含む）に直接触れない部分であり、かつ要介護者の体重を支えることができる充分な強度（弾力性がないもの）が必要となるため、本体部１１の布帛よりも引張強度の高い、ナイロン、炭素繊維、ガラス繊維等の化学繊維を用いた織物が好ましい。
【００１６】
図３（ｂ）は、図１に示した介護用抱っこ具１０のＢ−Ｂ断面図である。本体部１１の上端部分にバンド部１５ａの一部を縫着し、本体部１１の上端部分と縫着されたバンド部１５ａの周りを被うように、閉じ部１３ａが縫着される。なお、閉じ部１３ｂは、閉じ部１３ａと同じ構成であるため、その説明は省略する。このように、閉じ部１３ａ、１３ｂを設けることで、図１、２に示すように本体部１１は、横幅が拡がらないすっきりした外観を備えつつも、介護用抱っこ具１０を持ち運ぶ際には、容易にコンパクトにすることが可能となり（図５参照）、介護用抱っこ具１０の使用時においては、蛇腹状に折り畳められた部分を広げることが可能となる（図６参照）。
【００１７】
バンド部１５ａは、樹脂製のバックル１５ａ１（雄側）と、帯状布帛１５ａ２と、バンド部１５ａの長さを調整するアジャスター１５ａ３とを有している。また、バンド部１５ｂは、樹脂製のバックル１５ｂ１（雌側）と、帯状布帛１５ｂ２とを有している。帯状布帛１５ａ２、１５ｂ２には、例えば、棉、麻、絹、羊毛等の天然繊維、合成繊維、半合成繊維、再生繊維、精製繊維、タンパク質系半合成繊維、または、これらのうちのいずれかを混紡した物が用いられてもよい。また、帯状布帛１５ａ２、１５ｂ２は、要介護者（乳幼児も含む）に直接触れない部分であり、かつ要介護者の体重を支えることができる充分な強度（弾力性がないもの）が必要となるため、本体部１１の布帛よりも引張強度の高い、ナイロン、炭素繊維、ガラス繊維等の化学繊維を用いた織物が好ましい。
【００１８】
図５は、介護用抱っこ具１０をコンパクトに折り畳んだ状態を示している。本実施の形態の介護用抱っこ具１０は、本体部１１の布帛の大きさが縦１２０ｃｍ、横６８ｃｍである場合に、図５に示すように長手方向に丸めて折り畳むことで、縦２５ｃｍ、横２０ｃｍの携帯袋に入る程度のサイズにすることが可能である。また、図５に示すように、本体部１１を丸めて折り畳んだ状態で、バンド部１５ａ、５ｂのバックル１５ａ１、１５ｂ１を留めることも可能である。
【００１９】
図６を用いて、本実施形態による介護用抱っこ具１０の使用方法を説明する。図６（ａ）〜（ｃ）は、介護者がベッド等に横になっている要介護者を介護用抱っこ具１０を用いて抱き上げるまでを示している。
【００２０】
図６（ａ）に示すように、先ず介護者の身体に合せてバンド部１５ａの長さを調整し、本体部１１の蛇腹折りされた部分を広げて、要介護者の身体の下に敷く。この場合、要介護者の身体が本体部１１の中央にくるようにすることで、要介護者の上半身から太ももあたりの体重がかかるところが本体部１１で被われるようになる。
【００２１】
次いで、図６（ｂ）に示すように、介護者は、バックル１５ａ１、１５ｂ１を留めて、バンド部１５ａ、１５ｂが介護者の首の後ろにあたるように介護用抱っこ具１０を首から脇に斜めがけにし、要介護者の首の後ろを左手（または右手）と両足のひざ裏を右手（または左手）で軽く支え、背中全体を起こす力で抱き上げる（図６（ｃ）参照）。
【００２２】
このように、本実施の形態の介護用抱っこ具１０は、バックル１５ａ１、１５ｂ１を留める前の状態は環状ではないため、要介護者の身体の下に敷くことで簡単に要介護者を抱き上げることが可能となる。また、介護用抱っこ具１０は、布帛と樹脂製のバックルのみで構成されているため、要介護者を車いす等に移動した後には、いすの敷物として用いることが可能である。
【００２３】
図７を用いて、本発明の第二の実施形態による介護用抱っこ具２０を説明する。なお、第一の実施形態による介護用抱っこ具１０と同じ構成についは符号を同一にすることでその説明を省略する。
【００２４】
介護用抱っこ具２０は、補助バンド２１ａ、２１ｂ、及び補助バンド取付部２３ａ１、２３ａ２、２３ｂ１、２３ｂ２を備えている。介護用抱っこ具２０は、本体部１１の上端の両端の近傍に補助バンド取付部２３ａ１、２３ａ２を設け、本体部１１の下端の両端の近傍に補助バンド取付部２３ｂ１、２３ｂ２を設け、これらの取付部に補助バンド２１ａ、２１ｂを取り付ける構成である。このため、介護用抱っこ具２０を介護者二人で用いることが可能となる。補助バンド２１ａを一の介護者（以下、「介護者Ａ」と称す。）の首にかけ、補助バンド２１ｂを他の介護者（以下、「介護者Ｂ」と称す。）の首にかける。本体部１１の蛇腹状に折り畳んだ部分を広げて、長手方向に要介護者を寝かせることで、担架として使用することが可能となる。
【００２５】
また、補助バンド２１ａ、２１ｂは、着脱自在となる取付部を備えている。このため、介護用抱っこ具２０は、一人で要介護者の移動を補助できる場合においては、補助バンド２１ａ、２１ｂを取り外した状態で使用し、二人で要介護者の移動を補助する場合においては、補助バンド２１ａ、２１ｂを取り付けて使用することが可能である。また、介護用抱っこ具２０は、第一の実施形態に示した介護用抱っこ具１０と同じ構成を備えているのでコンパクトに丸めて折り畳むことが可能である。このため、介護用抱っこ具２０は、地震や洪水や火事等の災害において、持ち運び容易な担架としても用いることが可能である。
【００２６】
このように第一の実施の形態及び第二の実施の形態で示した介護用抱っこ具１０、２０は、特に、横向きで移動介助が必須な要介護者の介護者の介護負担を大幅に軽減することが可能である。介護用抱っこ具１０、２０は、シンプルな構造であるため、介護者や要介護者が装着する際の負担の軽減や時間短縮も実現される。また、大部分が布帛で構成されるため、そのまま洗たく機による丸洗いも可能である。また、介護用抱っこ具１０は、普段の抱っこを補助するものであるため、要介護者を移動させる際に、介護者の負担の軽減と要介護者の安心感を同時に満たすことが可能である。また、介護用抱っこ具１０、２０は、特に、身体を動かすことが困難な障害者の抱っこを補助する抱っこ具として有用であるが、乳幼児から高齢者の抱っこを補助する抱っこ具としても有用である。
【００２７】
上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。また、上述の実施形態で説明される構成は相互に付け足したり組み合わせたりしてもよい。
【００２８】
本発明は、上述に示した介護用抱っこ具以外のあらゆる補助具においても適用可能である。例えば、乳幼児を抱っこするスリングにおいても適用可能である。
【産業上の利用可能性】
【００２９】
本発明は、抱っこ具において広く利用可能である。
【符号の説明】
【００３０】
１０、２０  介護用抱っこ具
１１  本体部
１１ａ  谷折りの折り目
１１ｂ  山折りの折り目
１３ａ、１３ｂ  閉じ部
１５ａ、１５ｂ  バンド部
１５ａ１、１５ｂ１  バックル
１５ａ２、１５ｂ２  帯状布帛
１５ａ３  アジャスター
２１ａ、２１ｂ  補助バンド
２３ａ１、２３ａ２、２３ｂ１、２３ｂ２  補助バンド取付部
【図１】
2019072286.tif 000003
【図２】
2019072286.tif 000004
【図３】
2019072286.tif 000005
【図４】
2019072286.tif 000006
【図５】
2019072286.tif 000007
【図６】
2019072286.tif 000008
【図７】
2019072286.tif 000009